(57)【特許請求の範囲】
【請求項１】
小便を受ける前面開放形の小便受部と、前記小便受部に排出された小便を留める排尿タンクと、前記排尿タンクを枠によって固定する土台とを備えた簡易トイレ小便器であって、前記小便受部の前記前面には開閉ドアーが取り付けられ、底面には前記排尿タンクと連結する、排尿タンクの約半分の高さまで届く排尿パイプを設け、前記底面にある小便流出口には、臭気防止用のために、自動開閉弁が設けられ、前記排尿パイプは前記小便受部上部の取手を回すことにより、前記小便受部が前記排尿タンクに対して取付方向・並びに、取付高さが調整可能な、上から下までのネジを有し、前記小便受部を前記排尿タンクに取り付けた状態において、前記小便受部底面の下端部前側が前記排尿タンクより前方に飛び出ており、さらに前記小便受部前面の開閉ドアーは小便をするときに、両方のドアーを約110度〜120度の角度に保持する事で、小便をしていても腰回りは見えないようになっている事を特徴とする簡易トイレ小便器。
【請求項２】
前記小便受部背面の外部には、排尿タンクに使用するキャップや芳香剤をネットに入れて掛ける収納具掛けが設けられている事を特徴とする請求項１に記載の簡易トイレ小便器。
【請求項３】
前記排尿タンクの中の尿を排出しやすくするための着脱自在の前記排出用ノズルが排尿タンクに取り付けたままでも使用する事ができる事を特徴とする請求項１に記載の簡易トイレ小便器。
【請求項４】
前記排尿タンクが転倒防止用の杭のついた前記土台に取り付けられていることを特徴とする請求項１から３のいずれか1項に記載の簡易トイレ小便器。
【発明の詳細な説明】
【技術分野】
【０００１】
本発明は、期間の短い、工事現場や避難場所に置いて使用する簡易トイレ小便器に関する。
【背景技術】
【０００２】
従来の簡易トイレ小便器は、灯油を入れるポリタンクの口に漏斗のような形をした物を差し込み、それに小便をして、タンクに流し込んでいたが、アンモニアの臭いがきつい事や、雨水がタンクに流れ込むなどの問題があった。
【先行技術文献】
【特許文献】
【０００３】
最近販売されたスポットトイレがあるが、検索したが、先行技術を見つける事ができなかった。
【発明の概要】
【発明が解決しようとする課題】
【０００４】
しかしながら、最近販売されているスポットトイレでは、小便受けに蓋がないため、雨がふればタンク内に雨水が入る問題がり、又、臭いも完全に防ぐことはできない。
【０００５】
又、今までの簡易トイレ小便器は、強い風が吹けば、倒れて小便がこぼれるおそれがあった。
【０００６】
又、簡易トイレ小便器を所定の場所に固定して使用するが、周囲の都合により、簡易トイレ小便器の向きを、変えなければならない事があるが、タンクに小便が多く溜っていれば容易ではなかった。
【０００７】
本発明の目的は、臭い、雨水、風に対応できる簡易トイレ小便器を提供する。
【課題を解決するための手段】
【０００８】
前記目的を達成するために、本発明の簡易トイレ小便器は、土台４、排尿タンク３、小便受部２の３体から形成されている。
【０００９】
前記土台４には、枠２１が設けられ、その枠２１内に排尿タンク３が差し込まれている。そのタンク３の上部には、ねじ込み式の差し込み口１６が設けられ、その差し込み口１６に小便受部２の底面にあるネジ式排尿パイプ１３をねじ込んで固定するように構成されている。
【００１０】
前記簡易トイレ小便器１に小便をするときは、小便受部２の前面にある観音開き式開閉ドアー７を左右に開け、その小便受部２に小便をすれば、小便受部２の底面にある流出口１１から開閉弁１２を介して排尿タンク３内に流れ込むように構成されている。
【００１１】
前記小便受部２の臭いと雨水の対策として、該小便受部２を密閉箱型にし、その前面には観音開き式の開閉ドアー７を付け、ドアー裏側の外周部分の上下の隅にはマグネット８が取り付けられている。マグネット受９は、小便受部２の対応する上下位置に取り付けてある。又、排尿タンク３から上がってくる臭いを防止するため、小便が流れた後は、開閉弁１２が閉まるように構成されている。
【００１２】
前記小便受部２の流出口１１にあるネジ式排尿パイプ１３は、それを捻ることによって小便受部２の高さを自在に調整することができる。
【００１３】
前記小便受部２の前面に設けている観音開き式の開閉ドアー７は、110度〜120度の角度に開いた状態で止まるように構成されている。これにより、小便をするときは、開閉ドアー７を110度〜120度の角度に開いた状態で小便をする事により、小便をする人の腰回りが隠されるようになっている。
【発明の効果】
【００１４】
上述したように簡易トイレ小便器は、開閉ドアーを設けているため、雨が降っても排尿タンク３に雨水が入る事がなくなった。
【００１５】
又、強い風が吹いても、土台４に差し込まれており、さらにその土台４には、孔６が設けられ、その孔６に転倒防止用の杭５を差し込むことにより、凹凸のある場所でも強固に固定できるから、倒れないようになっている。
【００１６】
簡易トイレ小便器を設置する場所は、工事現場や災害での避難所などであり、設置する場所によっては、小便受部２を回転させて、高さを調整すれば、大人から子供などまでが使用する事ができる。
【００１７】
小便受部２の外側の背面には、収納具掛け１９があるため、芳香剤やタンクのキャップなどを袋に入れて掛ける事ができる。
【図面の簡単な説明】
【００１８】
【図１】簡易トイレ小便器の側面図。
【図２】簡易トイレ小便器の正面図。
【図３】土台の上に設けている枠に排尿タンクを差し込んでいる斜視図。
【発明を実施するための形態】
【００１９】
以下、本発明の実施の形態を図１〜図３に基づいて説明する。
【００２０】
図１は、簡易トイレ小便器１の側面図を示す。この図において、簡易トイレ小便器１は、土台４と排尿タンク３と小便受部２の３体を組合せてできている。
【００２１】
図１の小便受部２の上部の天板には小便受部２を回転したり、小便受部２を持ち上げたりするための取手１０Aを取付けている。
【００２２】
図１は簡易トイレ小便器１の右側面から見た図であって、小便受部２の下端部前側２３は排尿タンク３の前面側部２０より前に出ているため、尿が排尿タンク３の外側に掛からないように形成されている。
【００２３】
図２の小便受部２の開口部の外周には、臭気防止のためのパッキン１４と開閉ドアー７をロックするマグネット受金具９を取付けている。又開閉ドアー７の裏側には、マグネット８が付いている。
【００２４】
小便をすると、図２の小便受部２の中の底面にある小便流出口１１から開閉弁１２を通りネジ式排尿パイプ１３の中を流れて排尿タンク３に溜るようになっている。
【００２５】
小便受部２の前面開口部外周１４Aは、斜めに取り付けられた両開きの観音開き式開閉ドアー７が付けてある。この開閉ドアー７は、１１０度から１２０度の角度で停止して、小便をするとき、体の腰回りを隠す事ができるように形成されている。
【００２６】
図３は長方形の土台４と排尿タンク３を前側から見た外観斜視図で、排尿タンク３の上部の後ろ側の角の一部分が傾斜しており、その傾斜部分には、尿を排出する排出用ノズル１５が取り付けてある。又、タンク３の上部には、ネジ式排尿パイプ１３の差し込み口１６を設けている。その外に排尿タンク３の右左の側面には、手で提げることのできる取手１０Cが取り付けられている。
【００２７】
排出用ノズル１５は、取り外しても、取り付けたままでも使用する事ができるように成形されている、又ノズルの先には、キャップ１８がつけられている。
【００２８】
図３の排尿タンク３の下部には、土台４が設けられていて、その土台４は、長方形でその上に高さが約１００〜１５０ｍｍぐらいの枠２１を設け、その枠２１の中に排尿タンク３を差し込んで固定している。又、土台４の四方の角には、簡易トイレ小便器１を安定させるための転倒防止の孔６を設け、その孔６に杭５を差し込んで固定するようになっている。これで工事現場等の荒れた場所でも、倒れないようにしている。
【符号の説明】
【００２９】
1    簡易トイレ小便器
2    小便受部
3    排尿タンク
4    土台
5    転倒防止用の杭
6    孔
7    両開の開閉ドアー
8    マグネット
9    マグネット受金具
10A   取手
10B   取手
10C   取手
11    小便流出口
12    開閉弁
13    ネジ式排尿パイプ
14    パッキン
14A  小便受部の前面の外周
15    排出用ノズル
16    ネジ式排尿パイプ差し込み口
17    蝶番
18    キャップ
19    収納具掛け
20    排尿タンク前面の側部
21    枠
22    ドアーの取手
23    小便受部底面の下端部前側
24    小便受部の中
【要約】      （修正有）【課題】雨や風が吹いても、タンクに雨水が流れ込んだり、風が吹いてもトイレが転倒したりする事がなく、トイレの臭いも最低限度まで抑え、美しく清潔な簡易トイレ小便器を提供する。【解決手段】簡易トイレ小便器は、小便を受ける前面開放形の小便受部２と、小便受部２に排出された小便を留める排尿タンク３と、排尿タンク３を固定する土台４とを備え、小便受部２の前面は、前傾し、その前傾した前面に両開き式の開閉ドアが取り付けられ、底面には、排尿タンク３と連結するネジ式の排尿パイプ１３が設けられている。【選択図】図１【図１】
0005727662.tif 000002
【図２】
0005727662.tif 000003
【図３】
0005727662.tif 000004